(57)【要約】【課題】少ない入力データ数で高解像の画像を表示することが可能な表示装置を低コストで実現する。【解決手段】液晶表示パネル１０は、同一面上の垂直方向とこれに直交する水平方向に格子状に配列された表示画素２からなる第一の表示画素群と、第一の表示画素群と同一ピッチで格子状に配列された表示画素２からなる第二の表示画素群とから構成され、第一の表示画素群と第二の表示画素群は、それぞれの表示画素２の垂直方向の配列ピッチの１／２だけ垂直方向にずれて配置されており、且つ、それぞれの表示画素２の水平方向の配列ピッチの１／２だけ水平方向にずれて配置されており、液晶表示パネル１０から出射される光の光路上に設けられた複屈折板３を備え、複屈折板３は、第一の表示画素群と第二の表示画素群のそれぞれの表示画素２の垂直方向の配列ピッチの１／２だけ光を垂直方向に分離する。【選択図】図１
2009162864.tif 000002
【特許請求の範囲】
【請求項１】
入力画像データに応じた光を出射する光出射手段を有し、前記光出射手段から出射された光によって画像を表示する表示装置であって、
前記光出射手段が、同一面上の垂直方向とこれに直交する水平方向に格子状に配列された光出射部からなる第一の光出射群と、前記第一の光出射群と同一ピッチで格子状に配列された前記光出射部からなる第二の光出射群とから構成され、
前記第一の光出射群と前記第二の光出射群は、それぞれの前記光出射部の前記垂直方向の配列ピッチの１／２だけ前記垂直方向にずれて配置されており、且つ、それぞれの前記光出射部の前記水平方向の配列ピッチの１／２だけ前記水平方向にずれて配置されており、
前記光出射部から出射される光の光路上に設けられた複屈折板を備え、
前記複屈折板は、前記第一の光出射群と前記第二の光出射群のそれぞれの前記光出射部の前記垂直方向の配列ピッチの１／２だけ前記光を前記垂直方向に分離するもの、又は、前記第一の光出射群と前記第二の光出射群のそれぞれの前記光出射部の前記水平方向の配列ピッチの１／２だけ前記光を前記水平方向に分離するものである表示装置。
【請求項２】
請求項１記載の表示装置であって、
前記光出射手段による光出射を制御する制御手段を備え、
前記制御手段は、前記第一の光出射群の各光出射部から光を出射させる期間と前記第二の光出射群の各光出射部から光を出射させる期間とをずらして、前記入力画像データに応じた光を出射させる制御を行う表示装置。
【請求項３】
請求項１又は２記載の表示装置であって、
前記入力画像データの画素データ配列が格子配列であった場合、前記入力画像データの画素データを、前記光出射部の配列に対応した配列となるように間引いて新たな入力画像データを生成する入力画像データ生成手段を備え、
前記入力画像データの画素データ配列が格子配列であった場合、前記光出射手段は、前記新たな入力画像データに応じた光を出射する表示装置。
【請求項４】
請求項１〜３のいずれか１項記載の表示装置であって、
前記光出射部が、一対の電極によって挟まれた液晶層である表示装置。
【請求項５】
請求項１〜３のいずれか１項記載の表示装置であって、
前記光出射部が、画像を表示するべき投影面に光を反射させることが可能で、且つ、前記光を反射させる方向を制御可能なミラーであり、
前記複屈折板が、前記ミラーが前記投影面に光を反射する状態にあるときの該光の光路上に配置されている表示装置。
【請求項６】
請求項１〜３のいずれか１項記載の表示装置であって、
前記光出射部が、蛍光塗料が塗布されたブラウン管の表示画素である表示装置。
【発明の詳細な説明】
【技術分野】
【０００１】
本発明は、入力画像データに応じた光を出射する光出射手段を有し、前記光出射手段から出射された光によって画像を表示する表示装置に関する。
【背景技術】
【０００２】
画像表示装置において、少ない入力データ数で高解像を得るための方法として複屈折制御を行うウォブリング技術が知られている（例えば特許文献１参照）。特許文献１に記載の画像表示装置では、ウォブリング素子が、偏光変換用液晶板とその前面側に配置した複屈折板とからなり、カラー液晶表示素子に表示する映像信号の同期信号に基づいて、ウォブリング用液晶駆動回路により偏光変換用液晶板への電圧のオン・オフを制御し、これにより電圧がオンの状態では、カラー液晶表示素子からの光の偏光を変化させることなく透過させ、電圧がオフの状態では、カラー液晶表示素子からの光の偏光を９０度変化させて透過させ、その偏光方向に応じて複屈折板により射出する位置を変化させてウォブリング操作を行うようになっている。
【０００３】
【特許文献１】特開平１１−２７１７１０号公報
【発明の開示】
【発明が解決しようとする課題】
【０００４】
しかし、特許文献１に記載の技術では、時分割で複屈折制御が必要なため、この複屈折制御を実現するために偏光変換用の素子が必要となり、コスト高となってしまう。又、時分割制御のため、プログレッシブ表示を行うことができない。
【０００５】
本発明は、上記事情に鑑みてなされたものであり、少ない入力データ数で高解像の画像を表示することが可能な表示装置を低コストで実現することを目的とする。
【課題を解決するための手段】
【０００６】
本発明の表示装置は、入力画像データに応じた光を出射する光出射手段を有し、前記光出射手段から出射された光によって画像を表示する表示装置であって、前記光出射手段が、同一面上の垂直方向とこれに直交する水平方向に格子状に配列された光出射部からなる第一の光出射群と、前記第一の光出射群と同一ピッチで格子状に配列された前記光出射部からなる第二の光出射群とから構成され、前記第一の光出射群と前記第二の光出射群は、それぞれの前記光出射部の前記垂直方向の配列ピッチの１／２だけ前記垂直方向にずれて配置されており、且つ、それぞれの前記光出射部の前記水平方向の配列ピッチの１／２だけ前記水平方向にずれて配置されており、前記光出射部から出射される光の光路上に設けられた複屈折板を備え、前記複屈折板は、前記第一の光出射群と前記第二の光出射群のそれぞれの前記光出射部の前記垂直方向の配列ピッチの１／２だけ前記光を前記垂直方向に分離するもの、又は、前記第一の光出射群と前記第二の光出射群のそれぞれの前記光出射部の前記水平方向の配列ピッチの１／２だけ前記光を前記水平方向に分離するものである。
【０００７】
本発明の表示装置は、前記光出射手段による光出射を制御する制御手段を備え、前記制御手段は、前記第一の光出射群の各光出射部から光を出射させる期間と前記第二の光出射群の各光出射部から光を出射させる期間とをずらして、前記入力画像データに応じた光を出射させる制御を行う。
【０００８】
本発明の表示装置は、前記入力画像データの画素データ配列が格子配列であった場合、前記入力画像データの画素データを、前記光出射部の配列に対応した配列となるように間引いて新たな入力画像データを生成する入力画像データ生成手段を備え、前記入力画像データの画素データ配列が格子配列であった場合、前記光出射手段は、前記新たな入力画像データに応じた光を出射する。
【０００９】
本発明の表示装置は、前記光出射部が、一対の電極によって挟まれた液晶層である。
【００１０】
本発明の表示装置は、前記光出射部が、画像を表示するべき投影面に光を反射させることが可能で、且つ、前記光を反射させる方向を制御可能なミラーであり、前記複屈折板が、前記ミラーが前記投影面に光を反射する状態にあるときの該光の光路上に配置されている。
【００１１】
本発明の表示装置は、前記光出射部が、蛍光塗料が塗布されたブラウン管の表示画素である。
【発明の効果】
【００１２】
本発明によれば、少ない入力データ数で高解像の画像を表示することが可能な表示装置を低コストで実現することができる。
【発明を実施するための最良の形態】
【００１３】
以下、本発明の実施形態について図面を参照して説明する。
図１は、本発明の実施形態である液晶表示装置の概略構成を示す断面模式図である。
図１に示す液晶表示装置は、バックライト光源１と、液晶表示パネル１０と、複屈折板３と、液晶表示パネル１０を駆動する液晶ドライバ４とを備える。
【００１４】
液晶表示パネル１０は、ガラス等の透明基板上の垂直方向とこれに直交する水平方向に二次元状に配列された多数の第一の電極と、ガラス等の透明基板上の該多数の第一の電極の各々と対向する位置に形成された多数の第二の電極と、多数の第一の電極と多数の第二の電極の間に設けられた液晶層とを含んで構成されている。
【００１５】
１つの第一の電極と、それに対向する１つの第二の電極と、これらに挟まれる液晶層とにより、液晶表示パネル１０の１つの表示画素２が構成されている。液晶表示パネル１０は、この表示画素２を、同一面上の垂直方向とこれに直交する水平方向に二次元状に配列した構成ということもできる。表示画素２は、液晶層に印加する電圧を制御して液晶層の配向を制御することで、バックライト光源１からの光の透過率を決められるものである。
【００１６】
液晶ドライバ４は、液晶表示パネル１０に表示させるべき画像データが入力されると、この画像データに基づいて各表示画素２の液晶層に印加する電圧を制御する。これにより、各表示画素２からは、入力された画像データに応じた光が複屈折板３側に出射される。この表示画素２が特許請求の範囲の光出射部として機能し、液晶表示パネル１０全体が特許請求の範囲の光出射手段として機能する。
【００１７】
図２は、図１に示す液晶表示パネル１０を光出射側から見た平面模式図である。
液晶表示パネル１０は、図２中でハッチングを付していない表示画素２からなる第一の表示画素群と、図２中でハッチングを付した表示画素２からなる第二の表示画素群とを含む。
【００１８】
第一の表示画素群は、平面上の垂直方向とこれに直交する水平方向に表示画素２を格子状に配列したものとなっている。第二の表示画素群は、該平面上の垂直方向と水平方向に表示画素２を格子状に配列したものとなっている。第一の表示画素群と第二の表示画素群のそれぞれの表示画素２の配列ピッチは同一となっている。又、第一の表示画素群と第二の表示画素群は、それぞれの表示画素２の垂直方向の配列ピッチの１／２だけ垂直方向にずれて配置されており、且つ、それぞれの表示画素２の水平方向の配列ピッチの１／２だけ水平方向にずれて配置されている。
【００１９】
このように、液晶表示パネル１０は、表示画素２が格子状に並んだ構成になっていない。このため、液晶ドライバ４に入力される画像データが、図３に示すように画素データを格子状に並べたものであった場合には、液晶ドライバ４が、入力画像データを市松状に間引いて（入力画像データから図３中のハッチングを付した画素データを間引いて）表示用の画像データを新たに生成し、この表示用の画像データに基づいて各表示画素２の液晶層に印加する電圧を制御する必要がある。
【００２０】
液晶ドライバ４に入力される画像データが、図２に示すような表示画素２の配列に対応した画素データ配列となっているのであれば、上記のような間引く処理は不要である。
【００２１】
複屈折板３は、第一の表示画素群と第二の表示画素群のそれぞれの表示画素２の垂直方向の配列ピッチの１／２だけ光を垂直方向に分離するものである。
【００２２】
図１に示したように、画素２を透過した光は、複屈折板３において主光線と副光線に分離される。主光線は複屈折板３で進路を変えられることなく真っ直ぐ進み、複屈折板３から、複屈折板３表面に垂直な方向に出射される。副光線は、表示画素２の垂直方向の配列ピッチの１／２だけ垂直方向に進路を曲げられた上で複屈折板３から、複屈折板３表面に垂直な方向に出射される。このように、複屈折板３を設けることにより、垂直方向に隣接する表示画素２のライン間で主光線と副光線が合成されることなる。
【００２３】
図４は、図１に示す複屈折板３を光出射側から見たときの平面模式図である。
図４の矢印で示されるように、各表示画素２を透過して複屈折板３で分離された副光線は、その表示画素２の垂直方向隣の表示画素２から出射される主光線と混合される。例えば、図２において“Ａ１”の文字を付した表示画素２から出射された主光線は、その左半分が、“Ｂ０”の文字を付した表示画素２から出射され分離された副光線の右半分と混合され（Ａ１＋Ｂ０）、その右半分が“Ｂ２”の文字を付した表示画素２から出射され分離された副光線の左半分と混合される（Ａ１＋Ｂ２）。つまり、液晶表示装置を観察している観察者においては、“Ａ１”の文字を付した表示画素２から（Ａ１＋Ｂ０）と（Ａ１＋Ｂ２）の２種類の光が出射されているという認識がなされる。このため、全体として表示画素２の総数の倍の画素数の画像を観察者に認識させることができ、高解像化が可能となる。
【００２４】
以上のように、本実施形態の液晶表示装置によれば、液晶表示パネル１０の表示画素２の総数と同じデータ数の画像データの入力で、その総数の倍の画素からなる画像を観察者に認識させることができる。このため、例えば動画再生等をこの液晶表示装置で行おうとした場合、動画再生装置から液晶表示装置に転送するデータ量を減らしながら高解像を実現することができる。又、このような効果を、偏光変換素子を設けたり、複屈折を時分割で制御したりすることなく実現することができ、コストを削減することができる。又、複屈折の時分割制御を行う必要がないため、プログレッシブ表示も可能となる
【００２５】
又、本実施形態の液晶表示装置によれば、従来と同等の解像度を維持しようとした場合、表示画素２の総数を従来の半分にすることができる。このため、表示画素２の面積を大きく作ることが可能となり、表示画素２の性能を向上させることができる。
【００２６】
又、本実施形態の液晶表示装置によれば、インターレース表示を行った場合でも、高解像化を実現することができる。インターレース表示の場合には、例えば、第一フィールドで第一の表示画素群の各表示画素２から光を出射させた後、第二のフィールドで第二の表示画素群の各表示画素２から光を出射させるといった駆動を液晶ドライバ４が行う。第二の表示画素群から光を出射させている期間では、第一の表示画素群から出射された光が残像として残っている。このため、第一フィールドで表示した画像の残像と第二フィールドで表示された画像とが混合されることとなり、高解像化を実現することができる。これにより、フィールド間に動きがあるような映像であっても、フィールド間の画像の混合により、輪郭の不自然さが改善されるという効果を得ることができる。
【００２７】
尚、以上の説明ではモノクロ表示を前提としているが、カラー化を行う場合には、混合する表示画素２同士が同色となるストライプフィルタを用いたり、画像データの各画素データを３原色のデータに分割し、各色のデータに応じた光を面順次で出射させたり、液晶表示パネル１０を３原色分用意した多板式を採用したりすれば良い。
【００２８】
又、複屈折板３を、第一の表示画素群と第二の表示画素群のそれぞれの表示画素２の水平方向の配列ピッチの１／２だけ光を水平方向に分離するものとしても、高解像化という効果を得ることが可能である。
【００２９】
又、本発明は、画像を表示するべき投影面（スクリーン）に光を反射させることが可能で、且つ、該光の反射方向を制御可能なミラーを同一面上に二次元状に配列したマイクロミラーデバイスを光出射手段として用いたプロジェクタに適用することも可能である。
【００３０】
このようなマイクロミラーデバイスでは、各ミラーが鏡面をねじれ軸周りに所定角度傾斜させることができようになっており、鏡面下部に設けた電極を駆動することにより、各ミラーにＯＮとＯＦＦの２つの状態を持たせることができる。ミラーがＯＮのときは、光源からの光をスクリーンに反射してスクリーンに光を投射する。ミラーがＯＦＦのときは光源からの光を内部の吸収材に反射させてスクリーンには投射させない。又、ミラーのＯＮ／ＯＦＦを高速で行い、ＯＮの時間比率で濃淡を表現するＰＷＭ方式を用いることで、階調表現も可能となる。このようにして、各ミラーに表示画素２と同じ機能を持たせることができる。
【００３１】
本発明をプロジェクタに適用する場合には、マイクロミラーデバイスの各ミラーの配列を図２に示したような表示画素２の配列と同じとし、各ミラーがＯＮ状態のときの光の光路上に図１に示す複屈折板３を設けた構成とすれば良い。このような構成にすることで、スクリーン上には、ミラーの総数の２倍の画素が表示されることになり、高解像化を実現することができる。
【００３２】
又、本発明は、蛍光塗料が二次元状に塗布されたブラウン管を光出射手段として用いたＣＲＴ（Cathode Ray Tube）ディスプレイに適用することも可能である。本発明をＣＲＴディスプレイに適用する場合には、ＣＲＴディスプレイのブラウン管前面に塗布された蛍光塗料のパターンを、図２に示す表示画素２の配列パターンと同じにし、その蛍光塗料から発された光の光路上に複屈折板３を配置した構成とすれば良い。このような構成にすることで、観察者からは、蛍光塗料の総数の２倍の画素を認識することができるようになり、高解像化を実現することができる。
【図面の簡単な説明】
【００３３】
【図１】本発明の実施形態である液晶表示装置の概略構成を示す断面模式図
【図２】図１に示す液晶表示パネルを光出射側から見た平面模式図
【図３】図１に示す液晶表示装置に入力される画像データの構成例を示す図
【図４】図１に示す複屈折板を光出射側から見たときの平面模式図
【符号の説明】
【００３４】
１  バックライト光源
２  表示画素
３  複屈折板
４  液晶ドライバ
１０  液晶表示パネル
【図１】
2009162864.tif 000003
【図２】
2009162864.tif 000004
【図３】
2009162864.tif 000005
【図４】
2009162864.tif 000006